(57)【特許請求の範囲】
【請求項１】
内部コアおよび前記内部コアの少なくとも一部を被う外表層部を有する非空気入りタイヤであって、
補強部材が前記内部コアの内部に埋設されており、
前記内部コアにおいて補強部材を支持するために使用される支持体の跡として形成された切り欠き部は、前記補強部材の少なくとも一部と接するとともに、タイヤ周方向に断続的に存在し、さらに前記外表層部によって被覆されていることを特徴とする非空気入りタイヤ。
【請求項２】
前記補強部材は、有機繊維コード、スチールコード、またはこれらのコードをゴムまたは樹脂でコーティングしたものであり、
前記補強部材が配置された前記切り欠き部は、前記支持体に形成された窪み部であることを特徴とする、請求項１に記載の非空気入りタイヤ。
【請求項３】
タイヤ断面高さを１００として、タイヤ外径から半径方向に２０〜９５の範囲に前記補強部材が係止されたことを特徴とする請求項１または２に記載の非空気入りタイヤ。
【請求項４】
前記内部コアおよび／または前記外表層部は、熱可塑性エラストマー組成物、または熱可逆架橋エラストマー、またはこれらの混合物で構成されていることを特徴とする、請求項１〜３のいずれかの項に記載の非空気入りタイヤ。
【請求項５】
前記熱可逆架橋エラストマーは、マレイン酸変性オレフィン系エラストマー、含窒素複素環化合物、オレフィン系樹脂、スチレン系エラストマー、パラフィンオイルを含むことを特徴とする、請求項４に記載の非空気入りタイヤ。
【請求項６】
前記含窒素複素環化合物は含窒素複素環多官能アルコールであり、前記オレフィン系樹脂はポリプロピレンであり、前記スチレン系エラストマーは水添スチレン・イソプレン・ブタジエンブロック共重合体であることを特徴とする、請求項５に記載の非空気入りタイヤ。
【請求項７】
前記非空気入りタイヤは軽車両用であることを特徴とする、請求項１〜６のいずれかの項に記載の非空気入りタイヤ。
【請求項８】
補強部材が内部に埋設された内部コア、および前記内部コアの少なくとも一部を被う外表層部を有する非空気入りタイヤの製造方法において、
タイヤ周方向に延在する補強部材を第１の型内表面から第１の型内部に伸びる支持体によって第１の型内部に係止した状態でタイヤ材料を射出して前記内部コアをインジェクション成型により作製する工程、および
前記内部コアを第２の型内部に固定配置した状態でタイヤ材料を射出して前記外表層部をインジェクション成型により作製する工程
を含み、
ことを特徴とする非空気入りタイヤの製造方法。
【請求項９】
前記補強部材は、有機繊維コード、スチールコード、またはこれらのコードをゴムまたは樹脂でコーティングしたものであり、
前記補強部材は、前記支持体に形成された窪み部に嵌合することによって金型内部に係止されることを特徴とする、請求項８に記載の非空気入りタイヤの製造方法。
【請求項１０】
前記支持体の跡として形成された前記内部コアの切り欠き部は、前記補強部材の少なくとも一部と接するとともに、タイヤ周方向に断続的に存在し、さらに前記外表層部によって被覆されていることを特徴とする請求項８または９に記載の非空気入りタイヤの製造方法。
【請求項１１】
タイヤ断面高さを１００として、タイヤ外径から半径方向に２０〜９５の範囲に前記補強部材が係止されたことを特徴とする請求項８〜１０のいずれかの項に記載の非空気入りタイヤの製造方法。
【請求項１２】
前記内部コアを作製する工程および／または前記外表層部を作製する工程において、前記射出したタイヤ材料は、熱可塑性エラストマー組成物、または熱可逆架橋エラストマー、またはこれらの混合物で構成されていることを特徴とする、請求項８〜１１のいずれかの項に記載の非空気入りタイヤの製造方法。
【請求項１３】
前記熱可逆架橋エラストマーは、マレイン酸変性オレフィン系エラストマー、含窒素複素環化合物、オレフィン系樹脂、スチレン系エラストマー、パラフィンオイルを含むことを特徴とする、請求項１２に記載の非空気入りタイヤの製造方法。
【請求項１４】
前記含窒素複素環化合物は含窒素複素環多官能アルコールであり、前記オレフィン系樹脂はポリプロピレンであり、前記スチレン系エラストマーは水添スチレン・イソプレン・ブタジエンブロック共重合体であることを特徴とする、請求項１３に記載の非空気入りタイヤの製造方法。
【請求項１５】
内部コアおよび前記内部コアの少なくとも一部を被う外表層部を有する非空気入りタイヤにおける内部コアの作製用金型であって、
タイヤ周方向に延在する補強部材が前記内部コアの内部に埋設されており、
前記内部コアの作製用金型は、タイヤ周方向に延在する補強部材を金型内表面から金型内部に伸びる支持体によって金型内部に係止した状態でタイヤ材料を射出するインジェクション成型用金型であり、
前記補強部材は有機繊維コード、スチールコード、またはこれらのコードをゴムまたは樹脂でコーティングしたものであり、
前記支持体に形成された窪み部に前記補強部材が嵌合することによって前記補強部材を金型内部に係止することを特徴とする非空気入りタイヤにおける内部コアの作製用金型。
【請求項１６】
前記金型は２つに分離可能な割型であり、
前記支持体は前記窪み部の所で２つに分離されており、それぞれの支持体は前記金型の分離可能な２つの割型に備わり、前記金型の２つの割型を合わせたときに前記支持体の窪み部が形成されることを特徴とする、請求項１５に記載の非空気入りタイヤにおける内部コアの作製用金型。
【請求項１７】
前記金型は２つに分離可能な割型であり、
前記支持体は、周方向に離間して配置されているとともに、１つの割型のみの内表面から伸び片持ち状態となっていることを特徴とする、請求項１５に記載の非空気入りタイヤにおける内部コアの作製用金型。
【請求項１８】
前記金型は２つに分離可能な割型であり、
前記支持体は、周方向に離間して配置されているとともに、周方向に交互に各割型の内表面から伸び片持ち状態となっていることを特徴とする、請求項１５に記載の非空気入りタイヤにおける内部コアの作製用金型。
【発明の詳細な説明】
【技術分野】
【０００１】
本発明は、補強部材を内蔵する非空気入りタイヤに関するもので、特に、自転車、車椅子、ゴルフカートなどの軽車両用の非空気入りタイヤに関する。
【背景技術】
【０００２】
自転車用、車椅子用、ゴルフカートなどの軽車両用タイヤは空気入りタイヤが主に使用されているが、近年、特にパンクレスなどの利点があることから非空気入りタイヤが実用化されてきている。
【０００３】
この非空気入りタイヤは、通常、所謂ソリッドタイヤであり、図１６は、従来の円環状（チューブ状）の非空気式タイヤの断面構造の一例を示す図である。図１６に示す非空気式タイヤ２０１は、タイヤ本体２０２およびそれを組み付けたリム２０５からなる。図１６(a)において、タイヤ本体２０２はゴム材等から成る中実構造の円環状体から構成されている。タイヤ本体２０２の両側面にはリム嵌合溝部２０３がタイヤ一周にわたり形成される。タイヤ本体２０２のリム嵌合溝部２０３がリム２０５のフランジ凸部２０６に嵌合し、タイヤ本体２０２とリム２０５が固定されている。また、タイヤの接地面には必要に応じて、トレッド溝２０４が設けられる。ここで使用される材料は、天然ゴム、スチレンーブタジエンゴム（ＳＢＲ）、ブタジエンゴム（ＢＲ）、イソプレンゴム（ＩＲ）やポリウレタンエラストマーなどである。図示していないが、リム２０５はタイヤを嵌めている車輪であるホイールと一体となっており、ホイールはリム２０５、スポーク、ハブ等から構成されている。（特許文献１）
【０００４】
図１６（ａ）に示す非空気入りタイヤは、タイヤ本体２０２をリム２０５に押し込んでリム２０５に締結しているだけのものが多い。そのためタイヤ本体２０２をリム２０５に組み付けた後で、図１６（ｂ）に示すように据え切りや旋回時にリム外れが発生する可能性がある。さらに、長時間運行しているときや、長期間使用しているときに、経時変化によりタイヤ本体２０２が弛んできてタイヤ本体２０２がリム２０５から外れやすくなってしまう事がある。このように図１６（ａ）に示すような従来の非空気入りタイヤは耐リム外れ性が低い。
【０００５】
そこで、耐リム外れ性を改良するために、締付材で補強した非空気入りタイヤが提案されている。これは、タイヤ本体のリム組み付け部の内部に補強コードをタイヤ周方向に入れて、タイヤ本体のリム組み付け部の強度を増すとともにリムを内側から締め付ける力を増大させて耐リム外れ性を向上させたものである。たとえば、図１７に示すように、非空気式タイヤ本体1がホイール４（図１８を参照）に組付けられて構成される非空気式タイヤのタイヤ／ホイール組立体において、タイヤ本体１内にその周方向にわたって埋設された締付材（補強コード）７によりタイヤ本体１とホイール４とを締付し、溝部２での嵌合固定力に締付材（補強コード）７による締付力を加えることによってタイヤ本体１とホイール４間の固定を強固にしている。
【０００６】
タイヤ本体１内に埋設された締付材７は、タイヤ本体１内にタイヤ周方向に穿設された中空孔６の内部に通されて配されている。すなわち、図１８に示すように、タイヤ内周面に開口した締付材通し孔（切り欠き部）８（図１８（ａ））またはタイヤ外周面に開口した締付材通し孔８から締付材（補強コード）７を挿入して一周させた後、締付材（補強コード）７の先端部を締付材通し孔８から出して、締付材（補強コード）７の片端の鋸歯状部７ｂを締付材（補強コード）７の他端のロック用部品７ａに通して結束し、その鋸歯状部７ｂを引くことにより締付力を大きくすることでき、逆戻りしないようにしている。
【先行技術文献】
【特許文献】
【０００７】
【特許文献１】特願２０１１−０９１６０３
【特許文献２】特開２０１１−１４３８７４
【発明の概要】
【発明が解決しようとする課題】
【０００８】
図１８に示すようなタイヤ内周面に締付材通し孔（切り欠き部）８を開口する方法では、切り欠き部が外部へ露出しているため、水分等が切り欠き部から浸入し、補強コード７の劣化を加速させるという問題がある。特許文献２では、補強コード７の締付部分をタイヤ本体の中空孔６内に戻し、切り欠き部８に熱可塑性エラストマー組成物等からなる充填物を充填しシールして、外部への露出部分が存在しないようにすることが記載されている。しかしながら、タイヤ本体を形成してから切り欠き部８を充填物で埋める方法では、タイヤ本体と充填物との接着を確実に行なうことが困難であり、走行時に充填物が外れてしまうという問題がある。あるいは、タイヤ本体と充填物との境界面に大きな歪が発生して欠陥が生じ、この欠陥から水分が入るという問題の他に、繰り返し疲労によりタイヤが裂けてしまうという問題が発生する可能性がある。また、締付材７を中空孔６の内部に通すのは作業性が悪く、生産性悪化の原因となっている。また、締付材７の両端をタイヤ外部で結合する方法も困難な作業で作業性が悪く、生産性を落とすとともに、結合した締付材７を切り欠き部８の中に押入れることも同様に困難な作業である。さらに、切り欠き部８に充填物を充填する方法も自動化が困難であり、補強コード入りタイヤのコストアップの一因となっている。
【０００９】
以上のように、補強コード入りの非空気入りタイヤは耐リム外れ性に優れているので、タイヤ本体内部に補強コードを入れる生産性の高い方法が要求されているが、補強コード入り非空気入りタイヤを一体成型する生産性の高い適切な方法は、これまでの先行文献および先行技術において開示されていない。
【課題を解決するための手段】
【００１０】
本発明は、補強コードをタイヤ本体内部に埋設する生産性の高い方法であり、補強部材（コード）を支持したインジェクション成型を用いるとともに、外部に切り欠き部を露出させない補強コード入り非空気入りタイヤおよびその製造方法を提供するものである。本発明のタイヤは補強部材を埋設した内部コア部を外表層部によって被覆した非空気入りタイヤであり、最初に内部コア部をインジェクション成型法により作製し、次に内部コア部を被覆した外表層部をインジェクション成型法により作製する。内部コア部は補強部材が埋設されており、内部コア部作製用の金型側面等を用いて、当該金型内表面から金型内部に伸びる支持体によって、タイヤ周方向に延在する補強部材を金型内部の所定位置に係止した状態で内部コア部用のタイヤ材料を射出し、インジェクション成型することで補強部材を一体成型した円環状の内部コア部を作製する。次に内部コア部作製用の金型を取り外すと支持体も一緒に引き抜かれる。その支持体の跡として円環状の内部コア部に切り欠き部が形成される。すなわち、この段階では、内部コア部は補強部材を埋設しているとともに、内部コア部の周方向に断続して切り欠き部が存在する。次にタイヤ本体（タイヤ外表層部）作製用の金型内に内部コア部を所定位置に配置し、外表層部用のタイヤ材料を射出し、インジェクション成型することで補強部材を埋設した内部コア部を外表層部で被覆して一体成型した円環状の非空気入りタイヤを作製する。この２回目のタイヤ本体（タイヤ外表層部）作製時に、内部コア部の切り欠き部にもタイヤ材料がインジェクション注入される。
【発明の効果】
【００１１】
本発明のタイヤは、補強部材を埋設した非空気入りタイヤであるから、タイヤをリム組みしたときに、タイヤ本体の強度が増大しタイヤの伸長性が小さくなるとともに、タイヤ本体の内側からリムを締めつける力が増してリム外れが発生し難くなる。すなわち耐リム外れ性が向上する。この結果、非空気入りタイヤをリムに組み付けた時に、タイヤがリムに確実に固定されるので、通常の走行時はもちろん、据え切りや旋回時においてもリム外れし難くなる。
【００１２】
また切り欠き部がタイヤ外部に露出していないので、水分や異物等が外部から浸入することがなくタイヤ内部を劣化させたりすることもない。切り欠き部がタイヤ外部に露出している場合は、タイヤの裂傷や剥離の起点になる可能性があるが、このような問題は殆ど起こらない。また内部コア部およびそれを被うタイヤ外表層部は共にタイヤ材料で構成されているので、これらの界面の密着性も極めて良好にでき、内部コア部／外表層部の界面強度が向上する。従って、耐疲労性や耐候性に優れており長寿命の非空気入りタイヤを実現できるとともに、高速耐久性が向上する。また作製方法は単純であり自動化も容易でありインジェクション成型によって大量に迅速に製造できるので、生産性を向上することができる。
【図面の簡単な説明】
【００１３】
【図１】図１は、本発明の補強コード入り内部コア部を有する非空気入りタイヤを示す図である。
【図２】図２は、本発明の補強コード入り内部コア部１５を示す図である。
【図３】図３は、本発明の内部コアの製造方法に用いる金型を示す図である。
【図４】図４は、割型２１および２２を合わせて金型内空間２３を構成している図である。
【図５】図５は、内部コア作製用の金型内における補強部材と支持体の配置状態を示す図である。
【図６】図６は、金型内の補強部材と支持体の配置状態を示す別の実施形態を示す図である。
【図７】図７は、インジェクション成型により作製した円環状の内部コアの断面図である。
【図８】図８は、本発明の非空気入りタイヤ（外表層部）を作製する金型を示す図である。
【図９】図９は、本発明の非空気入りタイヤ作製用の金型に内部コアが配置された状態を示す図である。
【図１０】図１０は、図８および図９に示す金型を用いて作製した本発明の非空気入りタイヤを示す図である。
【図１１】図１１は、補強コード入り内部コアを有する非空気入りタイヤにおける補強部材の位置を示す図である。
【図１２】図１２は、上部に凹部を形成した内部コアを示す図である。
【図１３】図１３は、内部コアの種々の断面形状を示す図である。
【図１４】図１４は、切り欠き部が片側だけに存在する内部コアを有する非空気入りタイヤを示す図である。
【図１５】図１５は、複数の補強部材を有する非空気入りタイヤを示す図である。
【図１６】図１６は、従来の非空気式タイヤの断面構造の一例を示す図である。
【図１７】図１７は、従来のコード入り非空気式タイヤのタイヤ本体と締付材との関係を示した一部破砕断面斜視図である。
【図１８】図１８は、従来のコード入り非空気式タイヤの締付材通し孔付近を示した要部断面図である。
【図１９】図１９は、割型位置を移動させて内部コアの固定配置を容易にした図９と異なる実施形態を示す図である。
【発明を実施するための形態】
【００１４】
本発明の非空気入りタイヤは補強部材を有する内部コア部とその内部コア部を被う外表層部との２つの層から構成される。その作製方法も２段階、すなわち内部コア部の作製および外表層部の作製の２ステップとなる。補強部材を支持する支持体は内部コア部作製用の金型内に配置されており、この支持体の跡として内部コア部に切り欠き部が形成されるが、２ステップ目の外表層部の作製時に切り欠き部はタイヤ材料で充填され、実際のタイヤ外表面には切り欠き部は存在しないようになる。本発明の構成要件は次のようになる。
【００１５】
（１）本発明は、補強部材が埋設された内部コアおよび前記内部コアの少なくとも一部を被う外表層部を有する非空気入りタイヤであって、前記内部コアにおいて補強部材を支持するために使用される支持体の跡として形成された切り欠き部は、前記補強部材の少なくとも一部と接するとともに、タイヤ周方向に断続的に存在し、さらに前記外表層部によって被覆されていることを特徴とする非空気入りタイヤである。
（２）本発明は、補強部材が埋設された内部コアおよび前記内部コアの少なくとも一部を被う外表層部を有する非空気入りタイヤの製造方法において、タイヤ周方向に延在する補強部材を第１の型（内部コア作製用の金型）内表面から第１の型内部に伸びる支持体によって第１の型内部に係止した状態でタイヤ材料を射出して前記内部コアをインジェクション成型等により作製する工程、および前記内部コアを第２の型内部（タイヤ外表層部、すなわちタイヤ本体作製用の金型）に配置した状態でタイヤ材料を射出して前記外表層部をインジェクション成型等により作製する工程を含むことを特徴とする非空気入りタイヤの製造方法であり、前記支持体の跡として形成された前記内部コアの切り欠き部は、前記補強部材の少なくとも一部と接するとともに、タイヤ周方向に断続的に存在し、さらに前記外表層部によって被覆されていることを特徴とする。
【００１６】
（３）本発明は、（１）または（２）に加えて、タイヤ断面高さを１００として、タイヤ外径から半径方向に２０〜９５の範囲に前記補強部材が係止されたことを特徴とする。
（４）本発明はさらに、前記内部コアおよび／または前記外表層部はインジェクション射出成型によって作製可能なタイヤ材料であり、前記タイヤ材料は、熱可塑性エラストマー組成物、または熱可逆架橋エラストマー、またはこれらの混合物で構成されていることを特徴する。好ましくは、前記熱可逆架橋エラストマーは、マレイン酸変性オレフィン系エラストマー、含窒素複素環化合物、オレフィン系樹脂、スチレン系エラストマー、パラフィンオイルを含むことを特徴とし、さらに好ましくは、前記含窒素複素環化合物は含窒素複素環多官能アルコールであり、前記オレフィン系樹脂はポリプロピレンであり、前記スチレン系エラストマーは水添スチレン・イソプレン・ブタジエンブロック共重合体であることを特徴とする。
【００１７】
次に図面に基づいて本発明の実施形態や実施例について詳細に説明する。
図１は、本発明の補強コード入り内部コア部を有する非空気入りタイヤを示す図である。本発明の非空気入りタイヤ１１は、円環状に成型されたパンクレスタイヤである。図１においては、内部構造が分かるように一部切断して示しているが、この非空気入りタイヤ１１は、タイヤ周方向に連続して円環状に形成されている。切断面の構造から分かるように、非空気入りタイヤ１１の内部は二層の中実構造であり、内側層（内部コア（部）と称する）１５を外側層（外表層（部）と称する）１６が被っていて、内部コア１５の内部に補強部材であるコード１２が入っている。この補強部材１２もタイヤ周方向に連続して円環状に非空気入りタイヤ１１の内部コア１５の内部に配置されている。非空気入りタイヤ１１の表面には窪み部（リム嵌合溝）１４があり、リムフランジ凸部が嵌合してリムに非空気入りタイヤ１１が固定される。補強部材１２は、非空気入りタイヤ１１のタイヤ材料の中に埋設されて固定されており、タイヤ材料の強度を増加させるとともに、タイヤをリムに締めつける力を増大させる（タガ効果を高める）ので、タイヤの耐リム外れ性を向上させる。内部コア１５の側面には切り欠き部１３が配置されている。図１では、切断面に切り欠き部が配置されているが、切り欠き部１３は内部コア１５だけに形成されている。切り欠き部１３は内部コア１５の中でタイヤ周方向の一部に断続的に一定間隔をおきながら存在しているが、図１では切り欠き部１３が存在する部分を切断して示している。
【００１８】
この内部コア部１５の状態を良く分かるように、図２に外表層部１６を被覆する前の内部コア部作製後における内部コア部１５を示す。図２に示すように内部コア１５の側面には切り欠き部１３がタイヤ周方向に複数配置されている。この切り欠き部１３は後述する金型内で補強部材を係止支持する支持体を引き抜いた跡である空洞として形成される。空洞は内部コア１５の中心部まで存在し、中心部付近に配置される補強部材１２の周囲（側面および下部）にも空洞が形成されていて、金型内で支持体の上および支持体の間に補強部材１２が載置されていたことが分かる。この切り欠き部１３の空洞は、内部コア１５を外表層部１６で被覆するときに外表層部の材料で埋められ、隙間は殆どなくなってしまうので、この部分が欠陥となり、あるいは欠陥の起点となることはない。
【００１９】
本発明のコード入り非空気入りタイヤは、上記の構造からも明らかなように２段階の製造方法によって作製される。第１段階では、タイヤ周方向に延在する補強部材を内部に含む内部コアを作製する。すなわち、内部コア作製用の金型内部に伸びる支持体によってタイヤ周方向に延在する補強部材を係止した状態で、内部コア用のタイヤ材料を金型内に射出して円環状の内部コアをインジェクション成型する。金型を取り外すときに支持体も引き抜くので、円環状の内部コアの側面には切り欠き部が形成される。第２段階では、この円環状の内部コアをタイヤ用の金型内部に配置した状態で、タイヤ外表層部の材料を金型内に射出して円環状のタイヤをインジェクション成型する。以下に図面を用いて上記の製造方法を詳細に説明する。
【００２０】
図３は、本発明の非空気入りタイヤの内部コアの製造方法に用いる金型を示す図である。金型２０は割型になっていて、図３では２分割で構成されているがもっと多分割しても良い。図３は、非空気入りタイヤの内部コアの断面形状に合わせた形状を有する環状の金型の一部断面図を示している。従ってこの内部コア作製用の金型は周方向に一続きの金型となっていても良いし、タイヤ周方向に複数に分割していても良い。金型２０の一方の割型２１の内表面２１Ｓの側面の一部から支持体２４が金型２０の内部２３へ伸びている。支持体２４の先端部には補強部材２７を係止配置する補強部材係止部２５がある。金型２０の他方の割型２２の内表面２２Ｓの側面の一部から支持体２６が金型２０の内部２３へ伸びている。支持体２４および２６は、金型２１および２２が合わさったときに、それらの先端が接触または近接するようになっており、補強部材係止部２５に配置された補強部材２７が係止支持されるように作られている。支持体２４および２６は、金型内でタイヤ周方向に断続して複数箇所に配置され、補強部材２７をタイヤ周方向に環状に係止支持している。
【００２１】
図４は、金型２０の割型２１および２２を合わせて金型内空間２３を構成している図である。割型２１および２２を合わせると支持体２４および２６も合わさり、補強部材係止部２５に補強部材２７が嵌り、内部コア用のタイヤ材料が金型内２３に射出されても補強部材２７は動かないようになっている。（尚、支持体２４および２６の先端部は接触し、あるいは完全に接触しなくても良いが、補強部材係止部２５に補強部材２７が固定された状態にする。）金型２０の金型内空間２３は円環状につながっているので、射出されたタイヤ材料は金型内空間２３と同形状の円環状の内部コアとなる。射出されたタイヤ材料が冷却されて固化した後に割型２１および２２を離型すると、図２に示すような円環状の内部コア内部に補強部材２７が埋設された内部コア１５が作製される。支持体２４および２６は割型２１および２２の一部であるからタイヤから引き抜かれて、内部コア１５に図２に示すような切り欠き部１３を作る。離型性を向上するために支持体２４および２６の周囲や、金型２０の内表面２１Ｓおよび２２Ｓに表面処理を施しても良いし、一般的に射出成型用金型に用いられる製品取出し用のエジェクター機構を設けても良い。
【００２２】
補強部材はコード、あるいはコードをゴムや樹脂でコーティングしたものである。補強コードとしては、有機繊維コードやスチールコードなどで構成される。有機繊維コードの種類は、特に限定されないが、たとえば、ナイロン、ポリエステル、レーヨン、アラミド繊維等である。補強コードは、単線コードでも良いしあるいは複線コードでも良い。複線コードの場合は、撚りコードや重ねたり束ねたり横に並べたコードでも良く、ゴムや樹脂等でコードをコーティングしたものでも良い。また、コードをゴムでコーティングしたものは、金型２０内に挿入する前に予め加硫しておいても良い。補強コードやゴム入りコード層等を支持体に配置し周方向に環状に形成する場合は、これらの端末部を溶接または融着等で結合したり、接着剤を用いたり、あるいは結んだりして結合することができる。
【００２３】
図５は、内部コア作製用の金型内における補強部材と支持体の配置状態を示す図である。図５において、（Ａ）図は、金型内の支持体の状態を把握するために、内部コア用の金型内の一部を平面に投影した図である。内部コア用金型内空間２３（タイヤ材料を射出した後は、タイヤ材料で充填された内部コア１５となる）は円環状であるから、金型内に多数配置された支持体２４および２６は同一平面上にはないが、（Ａ）図のように一平面上に投影すれば、隣接する支持体２４（２４−１、２４−２、２４−３）および２６（２６−１、２６−２、２６−３）は同一平面上で描くことができる。金型内に配置された支持体２４および２６はタイヤ周方向に連続して延在しているわけではなく、図５に示すようにタイヤ周方向に断続して飛び飛びに（好適には等間隔に）配置される。タイヤ材料が射出されて内部コアが円環状に成型された後は、支持体２４および２６は金型と一緒に取り除かれる。このとき支持体２４および２６は切り欠き部１３（図１）となって内部コア内に残り、この切り欠き部１３は補強部材２７と接した状態になっている。すなわち、補強部材２７における支持体２４と接触している部分は切り欠き部１３の空洞の一部と接している。（あるいは接触している。）しかし、この切り欠き部１３は、第２段階のタイヤ外表層部の作製時にインジェクション注入されたタイヤ材料が入り込み充填される。従って、内部コア作製時に切り欠きが形成されてもタイヤ強度が低下したり、切り欠き部からタイヤに亀裂が入るようなこともない。仮に、第２段階で切り欠き部に完全にタイヤ材料が満たされなくても、少なくとも切り欠き部１３の開口部は被覆されるので、タイヤ外部からの異物や汚染水等の浸入によってタイヤが劣化する可能性は極めて低い。尚、支持体２４および２６は、補強部材２７を支持して射出成型時に補強部材が動かないように固定できさえすれば、そのサイズは小さい方が望ましい。
【００２４】
図５（ａ）は、支持体２４に補強部材係止部２５があるときの支持体の配列を示す図である。補強部材係止部２５を有する複数の支持体２４（２４−１、２４−２、２４−３、・・・）がタイヤ周方向に一定の間隔で金型（割型）２１の内表面２１Ｓに配置されている。（Ｂ）図は、（Ａ）図における支持体２４−２および２６−２のＸ−Ｘ’断面を示す図である。割型２１と２２が合わさったときに支持体２４および２６も合わさり、補強部材２７は窪み部となった補強部材係止部２５に嵌る。この状態を示したものが（Ｂ）図であるが、他の支持体においても支持体２４および２６の関係は同じであり、（Ｂ）図と同様の配置となり、補強部材２７は補強部材係止部２５に嵌り、係止固定される。金型内空間２３はタイヤ周方向に円環状に作製されており、その金型内空間内の所定位置に多数配置された支持体２４および２６で形成された窪み部である補強部材係止部２５に補強部材２７が嵌り、補強部材２７はタイヤ周方向に連続して円環状につながっている。補強部材２７は多数の補強部材係止部２５に係止固定され、タイヤ材料が射出されてもその圧力によっても動かないようになっている。補強部材２７のテンションを利用すれば、多数の補強部材係止部２５において、補強部材２７は、タイヤ径内側へ締めつける力が働くので、さらに移動し難くなる。
【００２５】
図５（ｂ）は、別の支持体の配列を示す図である。（Ａ）図は、タイヤの金型内の一部を平面に投影した図である。（Ｂ）図は支持体２４−２および２６−２におけるＸ−Ｘ’断面を示す図であり、（Ｃ）図は支持体２４−１および２６−１におけるＹ−Ｙ’断面を示す図である。（Ｂ）図においては図５（ａ）と同様に補強部材係止部２５が支持体２４（２４−２）にあるが、（Ｃ）図においては図５（ａ）とは逆に補強部材係止部２５が支持体２６（２６−１）にある。このように図５（ｂ）では補強部材係止部２５が支持体２４および２６に交互に存在しながら、支持体２４および２６が周方向に配置されている。このような支持体でも補強部材２７を金型の所定箇所に配置し係止固定することができる。
【００２６】
図５（ａ）および図５（ｂ）に示す支持体の配置形態では、金型２０の（割型２１および２２の）内表面の両側から支持体が金型内空間２３へ伸びているので、金型２０（割型２１および２２の）を射出したタイヤから離型した後の支持体の跡は貫通孔として内部コアの内部に残る。この支持体の跡が内部コアでは切り欠き部１３（図２）となっているが、図２では見えない反対側にも同じ位置に切り欠き部１３があり、これらの切り欠き部は貫通孔（これも支持体による、空洞と言っても良い）でつながっている。逆に貫通孔でつながっているということは、図５に示すような金型２０の割型２１および２２の両方の内表面２１Ｓおよび２２Ｓからそれぞれ支持体２４および２６が金型内部へ伸びており、補強部材２７が補強部材係止部２５に係止支持されているということを示す。
【００２７】
図６は、金型内の補強部材と支持体の配置状態を示す別の実施形態を示す図であり、支持体が一方の割型の内表面だけから伸びている場合を示す図である。すなわち、支持体は割型２１または２２に対して片持ち状態となっている。図６（ａ）は、支持体２４だけの場合であり、支持体２６は存在しない。（Ａ）図はタイヤの金型内の一部を平面に投影した図であり、（Ｂ）図は支持体２４−２におけるＸ−Ｘ’断面図を示す。支持体２６は存在しないので、補強部材２７は支持体２４だけから係止されている。図５においては、支持体２４および２６の両側から押さえられていて安定して係止固定されていたが、図６の場合には図５と比較して少し安定性が悪い。しかし、補強部材２７のテンションを高めてタイヤ径方向へ補強部材を締めつけて係止固定したり、あるいは補強部材係止部２５にさらに窪み部を設けて補強部材２７をその窪み部へ嵌めて係止固定したり、あるいは射出圧力を調節したりすることにより、射出成型時の補強部材２７の移動を抑えることができる。あるいは補強部材係止部２５に接着剤を用いて補強部材を固定するということもできる。
【００２８】
図６（ｂ）は、支持体２４および２６が交互に（左右互い違いに）配置される場合を示す図である。支持体２４−１がある場合には支持体２６が存在せず、その周方向の隣において支持体２６−２はあるが支持体２４は存在しない。さらにその周方向の隣において支持体２４−３はあるが支持体２６は存在しない。このように周方向に隣接する支持体は、同じ割型から伸びていない。図６（ｂ）の（Ｂ）図は、（Ａ）図における支持体２６−２のＸ−Ｘ’断面図であり、図６（ｂ）の（Ｃ）図は、（Ａ）図における支持体２４−１のＹ−Ｙ’断面図である。これらの図から分かるように、補強部材２７は片側からの支持体だけに支えられている。このような支持体の交互配置でも補強部材を金型内に配置固定してインジェクション成型することができる。
【００２９】
内部コア用のタイヤ材料を射出して金型内空間２３をタイヤ材料で充填した後、割型を外し支持体２４または２６を抜いたとき、図６（ａ）に示す場合は切り欠き１３が内部コアの片側面だけに存在するが、図６（ｂ）に示す場合は切り欠き１３は内部コアの両側面に存在する。図６（ｂ）に示す場合の方が外観的にも強度的にもバランスが取れている。ただし、図６（ａ）の場合も図６（ｂ）の場合も貫通孔ではなく、片側面だけに抜けた孔でその表面部が切り欠き部１３となっている。
【００３０】
図７は、インジェクション成型により作製した円環状の内部コアの断面図である。図７に示す内部コアは、図３〜図５に示すような両側に支持体が存在する金型を用いて作製されたものである。図７（ａ）は支持体が存在する部分におけるタイヤ幅（内部コア幅）方向の断面図で、図３および図４示すような補強部材が両側からの支持体の係止部で支持された部分における内部コアの断面図である。あるいは、図５（ａ）のＸ−Ｘ’部分において作製された内部コアの断面図である。あるいは、図５（ｂ）のＸ−Ｘ’部分やＹ−Ｙ’部分において作製された内部コアの断面図と考えれば良い。図７（ｂ）は、支持体が存在しない部分において作製された内部コアの断面図である。図７において、補強部材３２は内部コア３１の内部に埋設されており、内部コア３１の幅方向においてほぼ中央付近に配置される。補強部材３２が複数ある場合、好適にはそれらの中心（重心）が内部コア３１の幅方向のほぼ中央付近に存在する。内部コア３１はタイヤの幅方向にはほぼ中央付近に配置されるので、補強部材３２もタイヤの幅方向においてほぼ中心に配置される。この結果、補強部材３２はリムを内側から均等に締め付けるので、締め付け力の対称性により耐リム外れ性を向上させる。
【００３１】
図７（ａ）において、内部コア３１用のタイヤ材料がない部分（すなわち、切り欠き部）３３および３４は支持体の跡である。たとえば、切り欠き部３４は図５における支持体２６の跡で、切り欠き部３３は図５における支持体２４の跡である。これらの切り欠き部３３および３４によって、内部コア３１は上側の内部コア３１−１と下側の内部コア３１−２に分かれているが、支持体のなかった部分では図７（ｂ）に示すように、内部コア３１は（上下部分で）一体となり、補強部材３２は内部コア内に埋設されて固定されている。図５からも分かるように、支持体の存在する領域は支持体のない領域よりはるかに少ないので、切り欠き部が存在しても補強部材３２は内部コア内に固定されていて動かない。尚、図６に示すような支持体が片側だけに存在する場合は、当然切り欠き部も片側だけに存在する。
【００３２】
図８は、本発明の非空気入りタイヤ（外表層部）を作製する金型を示す図である。図８は、非空気入りタイヤの断面形状に合わせた形状を有する環状の金型の一部断面図を示している。金型４０は割型になっていて、図８では２分割で構成（金型４１および４２で構成）されているがもっと多分割しても良い。金型４１および４２の内表面４１Sおよび４２Sは非空気入りタイヤの外表面と同じ形状を有している。既に作製した環状の補強コード入り内部コア３１を金型内空間４３にセットする。たとえば、内部コア３１の底面を非空気入りタイヤの金型４１および４２の底面４５および４４と同じ形状に作製しておけば、図９に示すように特別の支持体を使用せずに金型４０に合わせて配置することができる。内部コア３１の底面の半分を一方の金型の底面（たとえば割型４１の底面４５）にセットした後に、他方の金型を合わせて、その底面（たとえば割型４２の底面４４）に内部コア３１の底面の残り半分を配置しても良い。
【００３３】
図８（および割型を合わせた図９）では、金型４１および４２の底面部の幅が同定度に形成されている（図９に示すように、金型４０の割型位置４７が底面部の中央部に配置されている）ため内部コア３１の底面が金型４１および４２の底面部に跨って配置されているが、図１９に示すように、金型４０の割型位置を４９のように移動させて（図９で示す割型位置４７を破線で示す）、一方の金型（図１９では割型４２）の底面部（図１９においては割型４２の底面４４）の幅を大きく作製しておけば、内部コア３１の底面を簡単に固定配置することができる。また、図１９に示すように底面部を広くしておけば、円環状の内部コア３１のテンションを効かせて固定配置することも容易になる。
【００３４】
図９は、本発明の非空気入りタイヤ作製用の金型を構成する割型４１および４２が合わさり、金型内空間４３を作り、その金型内空間４３に内部コア３１が配置された状態を示す図である。内部コア３１の底面が割型４１および４２の底面４５および４４に載置されている。図８および図９では、内部コア３１の切り欠き部３３および３４が存在する部分について描写しているが、図７（ｂ）で示すような切り欠き部がない部分についても、当然、金型内空間４３に内部コア３１が配置される。図９に示す状態は、タイヤ材料をインジェクション注入する前の金型４０の状態を示すが、インジェクション注入中に内部コア３１が金型内空間４３で動かないようにすることが重要であり、インジェクション注入時の圧力や温度を最適化する必要がある。また、内部コア３１の底面が割型４１および４２の底面４５および４４の形状に合わせるように作製して、内部コア３１の底面が割型４１および４２の底面４５および４４に適合して固定されるようにしても良い。あるいは、内部コア３１の底面の一部に凹凸形状を付け、その凹凸に嵌るように割型４１および４２の底面４５および４４に凸凹形状を付けても良い。非空気入りタイヤの幅方向は対称性を持つように、内部コア３１も幅方向に対称性を持たせるとともに、内部コア３１が非空気入りタイヤの幅方向に対してほぼ中央付近に配置し金型内空間４３に固定されることが望ましい。従って、補強部材３２は、金型内空間４３の非空気入りタイヤの幅方向においてほぼ中央に配置されることが望ましい。補強部材３２が複数の場合には、補強部材３２の重心が金型内空間４３の非空気入りタイヤの幅方向においてほぼ中央に配置されることが望ましい。
【００３５】
内部コア３１の切り欠き部３３および３４は、その開口部が金型内空間４３の内部にあること、すなわち切り欠き部の開口部が金型内空間４３に開口していることが重要である。インジェクション注入時に非空気入りタイヤ材料を切り欠き部３３および３４の開口部から入れて、切り欠き部３３および３４の空洞部を非空気入りタイヤ材料で充填することが望ましい。図９では、内部コア３１の底面が金型４０の内表面と合わせて固定しているが、内部コアの側面や上面を金型４０の内表面と合わせて固定することもできるが、このとき内部コア３１に存在する切り欠き部３３および３４の開口部は金型内空間４３の内部に存在するようにし、これらの開口部から切り欠き部３３および３４の内部空間（空洞）へタイヤ材料をインジェクション注入できるようにする。図８および９では内部コア３１の底面が金型４０の底面に配置されているが、タイヤ周方向に見たときに、この配置状態はタイヤ周方向全体に形成されている必要はなく、インジェクション注入時に動かないように内部コア３１を固定できれば、タイヤ周方向の一部だけでも良い。内部コア３１の一部の底面だけが金型４０の底面に配置されている場合、完成品の非空気入りタイヤは、その下面における内部コアの底面が露出する。
【００３６】
図１０は、図８および図９に示す金型を用いて作製した本発明の非空気入りタイヤを示す図である。図１０に示す本発明の非空気入りタイヤ５０は、補強部材３２が埋設された内部コア３１およびこの内部コア３１を被う外表層部５１からなる。図９で示す金型内空間４３はインジェクション注入されたタイヤ材料で充填され、内部コア３１の周囲を囲んで外表層部５１を形成する。内部コア３１の切り欠き部３３や３４は金型内空間に開口した開口部を有するので、インジェクション注入されたタイヤ材料はこれらの切り欠き部３３や３４に入り、切り欠き部３３や３４の空洞を充填する。従って、切り欠き部３３や３４では補強部材３２が一部露出しているが、これらの部分も外表層部５１と同じ材料で満たされる。インジェクション注入されるタイヤ材料の温度・粘度・注入圧力等、また金型温度等のインジェクション注入条件を適度に設定して、タイヤ材料が切り欠き部３３や３４内に注入されるようにする。金型内空間４３を減圧状態にすることにより切り欠き部３３や３４の空洞内にタイヤ材料がさらに入りやすくなる。
【００３７】
内部コア３１と外表層部５１との密着性は重要であるから、内部コア３１と外表層部５１との密着性の良い材料を選定する。たとえば、内部コア３１と外表層部５１を同じ材料で構成したり、融着する温度が近い材料を選択する。金型温度を内部コアの表面が融着可能な温度にしても良い。また、内部コア３１の周囲に接着向上剤を事前にコーティングしても良い。内部コア３１には切り欠き部３３や３４が形成されているので、外表層部材料が入り込み、この充填された切り欠き部３３や３４がアンカー効果（たとえば、接触面積が増大し、互いに対して食い込み度が増大し、お互い同士の抜けを防止する効果）を発揮して、内部コア３１と外表層部５１との結合を向上させる。内部コア３１の一部（図１０では内部コア３１の底面）は外側に露出しているが、それ以外の部分は外表層部５１によって被覆（カバー）されている。内部コア３１は、非空気入りタイヤ５０を作製する金型（図８および図９に示す金型４０で、外表層部５１を作製する金型と同じである）内の空間に何の支持体もなく浮かせて固定することはできないので、また、本発明では内部コア３１を支持するための支持体を金型の内部空間（図８および図９における４３）には設けないので、内部コア３１は、図８および図９で説明したように、金型の内表面（図８および図９における４１Ｓや４２Ｓ）に密着して支持されるが、この密着した部分において内部コア３１は外部に露出する。
【００３８】
図１０（ａ）は、切り欠き部３３や３４が存在する部分の断面図を示し、図１０（ｂ）は切り欠き部が存在しない部分の断面図を示す。内部コア３１は、非空気入りタイヤ５０の幅方向において非空気入りタイヤ５０の中心部（赤道）５５に対してほぼ対称位置に配置されている。また、内部コア３１の形状も中心部５５に対して対称な形状となることが望ましい。さらに、補強部材３２も中心部５５に対してほぼ対称位置に配置されている。この結果、タイヤをリム組みしたときに、（図１０において５２および５３はリム嵌合溝部でここにリムフランジ凸部が嵌合する）タイヤ本体の内側からリムを締めつける力（タガ効果）が均等にバランス良く増大しタイヤの伸長を防止してリム外れが発生し難くなる。すなわち耐リム外れ性が向上する。この結果、高速耐久性も向上する。
【００３９】
内部コア３１に形成される切り欠き部３３や３４は、アンカー効果によって内部コア３１と外表層部５１との結合性を高めるので、切り欠き部３３や３４とは異なる場所の内部コア３１に凹凸部を形成することもできる。たとえば、図１２は上部に凹部を形成した内部コアを示す図である。図１２に示すように、内部コア３１の表面部に凹部６１や６２を形成して、外表層部５１をインジェクション成型するときに、この凹部６１や６２にタイヤ材料を入れ込む。この凹部によるアンカー効果により、内部コア３１と外表層部５１との結合をさらに強めることができる。図１２（ａ）は内部コア３１の上部に凹部６１を２箇所、図１２（ｂ）は内部コア３１の上部に凹部６２を１箇所形成している。切り欠き部３３や３４の存在する部分および存在しない部分の両方に凹部を形成しているが、もっと多く形成することもできる。タイヤ周方向には、凹部は１部だけでも効果がある。このようにタイヤ周方向に断続的または連続した凹部（溝部と呼んでも良い）を形成して、内部コア３１と外表層部５１との結合性を高めることができる。これらの凹部は、金型２０の内面２１Ｓや２２Ｓの表面に凸部を形成して作製することができる。また、凹部ではなく、逆に内部コア３１に凸部を形成しても、やはりアンカー効果によって内部コア３１と外表層部５１との結合性を高めることができることも当然である。凸部に関しても金型２０の内面２１Ｓや２２Ｓの表面に凹部を形成して作製することができ、タイヤ周方向に断続的または連続した凹部を複数形成することもできる。
【００４０】
図１４は、図６に示すような支持体が片側だけに存在する金型で作製した切り欠き部３３または３４が片側だけに存在する内部コア３１を有する非空気入りタイヤを示す図である。切り欠き部による空洞が片側だけに存在する場合でも、切り欠き部の開口側よりタイヤ材料がインジェクション注入され、切り欠き部内部の空洞はタイヤ材料で充填させることができる。両側に切り欠き部が存在する場合よりアンカー効果は弱いが、タイヤ外表層部５１と内部コア部３１との結合は充分確保できる。切り欠き部が互い違いになっている場合は、図１４（ａ）と図１４（ｂ）の状態が断続的に交互に現われる。
【００４１】
次に本発明の非空気入りタイヤにおける補強部材の位置について説明する。図１１は補強コード入り内部コアを有する非空気入りタイヤにおける補強部材（コード）の位置を示す図である。図１１では切り欠き部のない内部コアが存在する部分の断面図を示すが、補強部材の位置については切り欠き部の有り無しでは変動はない。本発明の非空気入りタイヤ５０の断面高さをＳＨとする。断面高さＳＨは、非空気入りタイヤの底部から非空気入りタイヤの接地面までの距離である。タイヤの接地面は非空気入りタイヤの最外径となる部分と定義する。図１１では、非空気入りタイヤの最外径となる部分は、幅方向の中心線５５（タイヤ周方向も考慮すれば面で、タイヤ赤道に相当する）と外表層部５１の外表面の交点（タイヤ周方向も考慮すれば面）と一致する。補強部材３２がタイヤ５０の内部に配置される部分（補強部材の底部）のタイヤ接地面（タイヤ最外径）からの距離をｍとしたとき、ｍ／ＳＨ（×１００）は２０〜９５の範囲に存在することが望ましく、好適には３０〜９５、もっと好適には３５〜９０の範囲に存在することが望ましい。
【００４２】
実際には、内部コア３１内に補強部材３２が配置固定され、その内部コア３１がタイヤ５０内に配置固定されるので、内部コア３１内に配置固定する補強部材３２の位置を逆算して設定する必要がある。たとえば、内部コア３１の最外径となる部分は、幅方向の中心線５５と内部コアの外表面との交点と一致するから、この交点から内部コア３１の底面までの距離（これを内部コア３１の断面高さと考えても良い）をＳＨｃ、交点から補強部材３２の底部までの距離をｎとすると、ｍ／ＳＨとｎ／ＳＨｃとの関係を考慮して、各値を設定する必要がある。従って、補強部材３２の位置を決定する内部コア金型２０の支持体２４および２６の位置を上記の範囲内に来るように管理する必要がある。補強部材がこれらの範囲内に配置されれば、リムをタイヤ径方向へ締めつける力が増大する（タガ効果を高める）ので、タイヤの耐リム外れ性を向上させることができる。
【００４３】
図１３は、内部コアの種々の断面形状を示す図である。図１３（ａ）は断面形状が長方形状の内部コア、図１３（ｂ）は断面形状が六角形状の内部コア、図１３（ｃ）は断面形状が台形状の内部コア、図１３（ｄ）は断面形状が十字形状の内部コア、図１３（ｅ）は断面形状が星形状の内部コアを示す。他に三角形状、半円形状、半楕円形状等いろいろな断面形状の内部コアを作製できる。これらの内部コアは内部に補強部材を有するが、この補強部材は非空気入りタイヤの幅方向においてほぼ中央部に配置されていることが望ましい。従って、略対称な形状を有する内部コアにおいても、その幅方向（図１３において、Ｘ方向が幅方向、Ｙ方向がタイヤ径方向となる）においてほぼ中央部に配置されていることが望ましい。リムを締めつけるタガ効果をタイヤ幅方向に均等に及ぼすために、内部コアは幅方向において対称性を有した形状が望ましい。また、図８および図９で説明したように、金型４０内で固定されている必要があるので、金型４０内に載置したときに安定して載置できる形状が望ましい。図１３で示す種々の形状はこれらの条件を満足する。図１３（ｅ）に示す星形状の内部コアは、その中心に補強部材を配置することにより、表面に凹凸が存在するので、金型４０内での安定性、外表層部との結合性を高め、タイヤ外部に露出する内部コアの領域を最小限にすることができる。
【００４４】
図１５は、タイヤ幅方向に複数の補強部材を有する非空気入りタイヤを示す図である。内部コア３１内に複数の（図１５では４本）補強部材３２が配置され、これらの補強部材３２を支持していた切り欠き部３３および３４の空洞は外表層部５１の材料によって充填されている。複数の補強部材３２は、その中心（重心）がタイヤ幅方向の中央線（タイヤの赤道）５５とほぼ一致している。内部コア３１内でも補強部材３２が対象に配置されていることが望ましい。このように複数の補強部材を内部コア内に配置することもできるので、さらにタガ効果を増大させ耐リム外れ性を向上させることができる。尚、補強部材３２を複数配置する場合には、タイヤ径方向（図１５では縦方向）にも複数配置することができる。その場合には中央線１５に沿って複数の補強部材を配置すれば良く、これによって補強部材の幅方向における対称性を確保できる。さらに複数の補強部材を内部コア内に分散することもできる。その場合も複数の補強部材の重心が幅方向の中央になるようにするのが、対称性の観点から望ましい。尚、このように複数の補強部材を縦方向に配置したり、分散させたりする場合には内部コア形成時に多数の支持体が必要となり、その結果多数の切り欠き部が形成されるが、これらの切り欠き部は２回目のインジェクション注入時（タイヤ外表層部作製時）にタイヤ材料で充填されるのでタイヤの強度上は問題なく、アンカー効果や耐リム外れ性をさらに向上させることができる。
【００４５】
本発明の補強コード入り内部コアを含む非空気入りタイヤは、補強コードによる耐リム外れ性を向上しつつ、切り欠き部がタイヤ外側に露出しないことによる高寿命性を実現した優れた非空気入りタイヤであるが、内部コアおよびその外側を少なくとも一部被覆する外表層部は、インジェクション成型が可能なタイヤ材料で構成される。内部コア（図１０等における３１）の材料と外表層部（図１０等における５１）の材料を同一か類似した材料で構成しても良いし、異なる材料で構成することもできる。異なる材料で構成した場合は容易に内部コアと外表層部の物性値を変化させることができる。あるいは、同じ材料でも異なる条件で作製して内部コアと外表層部の物性値を変えても良い。たとえば、内部コアを低硬度（たとえば、ＪＩＳＫ６２５３準拠のＪＩＳＡ硬度２０〜６５）にして比較的柔軟な状態にし、路面に接触する外表層部を高硬度（たとえば、ＪＩＳＫ６２５３準拠のＪＩＳＡ硬度６５〜９０）にすることにより、摩耗に強く乗り心地性も良い長寿命の非空気入りタイヤを作製できる。このように本発明の補強コード入り内部コアを含む非空気入りタイヤは、内部コア部および外表層部の物性値を種々変化させて特性チューニングが可能であり、両者の優れた性質を合わせ持つ所望の非空気入りタイヤを実現できる。
【００４６】
内部コアおよび外表層部、すなわち本発明の円環状の補強コード入り非空気入りタイヤは、インジェクション（射出）成型によって作製される。内部コアおよび外表層部を構成するタイヤ材料として、天然ゴム、種々の合成ゴム（たとえば、スチレンーブタジエンゴム（ＳＢＲ）、ブタジエンゴム（ＢＲ）、イソプレンゴム（ＩＲ）、ウレタンゴム）、熱硬化性エラストマー、熱可塑性エラストマー、または熱可逆架橋エラストマー、またはこれらの混合物を使用することができる。
【００４７】
熱可塑性エラストマーとしては、たとえばオレフィン系エラストマー、スチレン系エラストマー、ポリ塩化ビニル系エラストマー、ポリウレタン系エラストマー、ポリエステル系エラストマー、ポリアミド系エラストマーなど種々使用できる。オレフィン系エラストマーとしては、たとえばエチレン−プロピレンゴム（ＥＰＭ）、エチレン−プロピレン−ジエンゴム（ＥＰＤＭ）、エチレン−ブテンゴム（ＥＢＭ）等を使用できる。スチレン系エラストマーとしては、たとえばスチレン−ブタジエン−スチレン共重合体（ＳＢＳ）、スチレン−イソプレン−スチレン共重合体（ＳＩＳ）、スチレンエチレンプロピレンスチレンブロック共重合体（ＳＥＰＳ）、スチレンエチレンブチレンスチレンブロック共重合体（ＳＥＢＳ、ＳＢＳの水素添加物）、スチレンエチレンエチレンプロピレンスチレンブロック共重合体（ＳＥＥＰＳ）等を使用できる。
【００４８】
熱可逆架橋エラストマー組成物は、溶融成型しながら、物性を低下させずに繰り返して使用することができる為、マテリアルリサイクルが可能である。また、熱可逆架橋エラストマー組成物は、高い柔軟性や良好な低温特性を持ち、フィラーにより補強することもでき、加硫ゴムに近い性質を持つエラストマーであり、熱可塑性樹脂のように、射出（インジェクション）成型が可能で、加硫工程が不要であるという特徴がある。さらに、熱可塑性樹脂や熱硬化性樹脂との接着性も有するため、これらの材料の併用が可能である。
【００４９】
熱可逆架橋エラストマー組成物としては、カルボニル基・ヒドロキシ基・オキシ基・エポキシ基・フェニル基など種々の官能基またはこれらの官能基か含窒素複素環を含む架橋部位、或いはこれらを側鎖として含有することができる。特に、このエラストマー組成物として、好適には水素結合を用いた熱可逆架橋エラストマー組成物であるＴＨＣラバー（Thermoreversible  Hydrogen-bond  Crosslinking  Rubber）を用いることができる。ＴＨＣラバーは、少なくともカルボニル含有基及び含窒素複素環を有する水素結合性架橋部位を含有する側鎖もしくはその水素結合性架橋部位と共有結合性架橋部位とを併有する側鎖を有する熱可逆架橋エラストマー組成物であり、熱可逆架橋性を良好に発揮しタイヤのリサイクル性を向上させることが可能となる。
【００５０】
カルボニル含有基及び含窒素複素環を有する水素結合性架橋部位は、カルボニル含有基が有するカルボニル基と、含窒素複素環が有するアミノ基とが水素結合を形成する。含窒素複素環は、架橋剤として含窒素複素環含有化合物を加えることにより配合してもよい。水素結合性架橋部位を構成するカルボニル化合物としては、例えば、カルボニル基、カルボキシル基、アミド基、エステル基、イミド基が挙げられる。
【００５１】
熱可逆架橋エラストマー組成物は、マレイン酸変性オレフィン系エラストマー、含窒素複素環化合物、オレフィン系樹脂、スチレン系エラストマー、パラフィンオイルを含むものであることが好ましい。このように熱可逆架橋エラストマー組成物を構成することにより、良好な物性を持つとともに、高流動性で成型性が良好になる。上記した含窒素複素環化合物は、好適には含窒素複素環多官能アルコールであり、オレフィン系樹脂は好適にはポリプロピレンであり、スチレン系エラストマーは好適には水添スチレン・イソプレン・ブタジエンブロック共重合体であることが好ましい。
【００５２】
熱可逆架橋エラストマー組成物は上記の種々の材料を混合して用いることもできる。たとえば、マレイン酸変性オレフィン系エラストマー１００重量部に対し、含窒素複素環化合物を０．１〜３重量部、オレフィン系樹脂を５０〜１５０重量部、スチレン系エラストマーを２０〜８０重量部、パラフィンオイルを５０〜１５０重量部配合するのがよい。熱可逆架橋エラストマー組成物をタイヤに使用すると、環状に成型することが簡単であり、また、熱を加えることで架橋が外れるため、タイヤの成型性に加え、マテリアルリサイクルも容易になるので好ましい。
【００５３】
本発明は、補強部材を支持する支持体を金型機構に組み込むことにより、インジェクション成型方法を用いて補強材を含み一体成型とした内部コア部を作製した後に、この内部コア部をさらにタイヤ本体用の金型に固定配置して内部コア部を被う外表層部を形成して、切り欠き部が外側へ露出しない非空気入りタイヤを実現したもので、これにより安全性および信頼性の高いコード入り非空気入りタイヤを作製できる。
【００５４】
尚、明細書のある部分に記載し説明した内容を記載しなかった他の部分においても矛盾なく適用できることに関しては、当該他の部分に当該内容を適用できることは言うまでもない。さらに、上記実施形態は一例であり、要旨を逸脱しない範囲内で種々変更して実施でき、本発明の権利範囲が上記実施形態に限定されないことも言うまでもない。
【産業上の利用可能性】
【００５５】
本発明の非空気入りタイヤは、軽荷重下での低速走行などが通常である自転車用、車椅子用、ゴルフカート用、リヤカー用など、各種の軽車両用の非空気入りタイヤとしても使用することができる。
【符号の説明】
【００５６】
１・・・非空気式タイヤ本体、２・・・溝部、
４・・・ホイール、６・・・中空孔、
７・・・締付材、８・・・締付材通し孔、
１１・・・非空気入りタイヤ、１２・・・補強部材、
１３・・・切り欠き部、１４・・・リム嵌合溝、
１５・・・内部コア（部）、１６・・・外表層（部）、
２０・・・金型、２１・・・割型、
２２・・・割型、２３・・・金型内空間、
２４・・・支持体、２５・・・補強部材係止部、
２６・・・支持体、２７・・・補強部材、
３１・・・内部コア、３２・・・補強部材、
３３・・・切り欠き部、３４・・・切り欠き部、
４０・・・金型、４１・・・割型、
４２・・・割型、４３・・・金型内空間、
４４・・・金型底面、４５・・・金型底面、
５０・・・非空気入りタイヤ、５１・・・外表層部、
５２・・・リム嵌合溝部、５３・・・リム嵌合溝部、
５５・・・タイヤ中心部（赤道）６１・・・凹部、
６２・・・凹部、２０１・・・非空気入りタイヤ、
２０２・・・タイヤ本体部、２０３・・・リム嵌合溝、
２０４・・・トレッド溝、２０５・・・リム、
２０６・・・リムフランジ凸部
【図１】
0005990938.tif 000002
【図２】
0005990938.tif 000003
【図３】
0005990938.tif 000004
【図４】
0005990938.tif 000005
【図５】
0005990938.tif 000006
【図６】
0005990938.tif 000007
【図７】
0005990938.tif 000008
【図８】
0005990938.tif 000009
【図９】
0005990938.tif 000010
【図１０】
0005990938.tif 000011
【図１１】
0005990938.tif 000012
【図１２】
0005990938.tif 000013
【図１３】
0005990938.tif 000014
【図１４】
0005990938.tif 000015
【図１５】
0005990938.tif 000016
【図１６】
0005990938.tif 000017
【図１７】
0005990938.tif 000018
【図１８】
0005990938.tif 000019
【図１９】
0005990938.tif 000020